(57)【要約】【課題】簡易な構成で、容易にメダルをメダル受け皿から収容箱に移し替えることのできる遊技機を提供する。【解決手段】遊技機１は、メダル受け皿４と収容箱５を備えている。メダル受け皿４は、本体２の下部前面の一方の端部寄りに設けられ、メダルが払い出される払出口３からメダルを受け入れて貯える。収容箱５は、本体２の下部前面の他方の端部寄りに設けられ、メダル受け皿４に隣接されてメダルが移し替えられる。遊技機１は、メダル受け皿４を収容箱５に対して進退させる位置調整手段と、収容箱５を着脱自在に係止する係止手段と、を備えている。【選択図】図３
2008295524.tif 000002
【特許請求の範囲】
【請求項１】
本体の下部前面の一方の端部寄りに設けられ、メダルが払い出される払出口からメダルを受け入れて貯えるメダル受け皿と、
前記本体の下部前面の他方の端部寄りに設けられ、前記メダル受け皿に隣接されてメダルが移し替えられる収容箱と、を備えることを特徴とする遊技機。
【請求項２】
前記メダル受け皿を前記収容箱に対して進退させる位置調整手段と、
前記収容箱を着脱自在に係止する係止手段と、を備えることを特徴とする請求項１記載の遊技機。
【請求項３】
前記メダル受け皿は、前記払出口と対向する前壁と、この前壁と対向する後壁と、前記前壁の両翼に略直交する一対の側壁と、前記前壁と前記一対の側壁で囲われる底壁と、を有し、
前記位置調整手段は、前記本体に設けられる一対の鉤状の係止部材と、前記後壁に設けられて前記一対の係止部材に係止する複数の口金状の係止穴と、を有することを特徴とする請求項２記載の遊技機。
【請求項４】
前記係止手段は、前記本体から突出する一対のＬ字状の係止片を有し、この一対の係止片は、前記メダル受け皿の開口に設けられる折り返し襞に係止することを特徴とする請求項２又は３記載の遊技機。
【請求項５】
専用の収容箱を備えることを特徴とする請求項１から４のいずれかに記載の遊技機。
【発明の詳細な説明】
【技術分野】
【０００１】
本発明は、スロットマシンなどの遊技機に関する。特に、遊技機の下方に配置され、払い出されるメダルを受け入れるメダル受け皿の構造に関する。
【背景技術】
【０００２】
一般に、スロットマシンなどの遊技機は、本体の下部前面にメダル受け皿を配置している。メダル受け皿は、メダルの払出口から払い出されるメダルを受け入れて一定量、貯える容量を有している。そして、遊技者は、メダルがメダル受け皿から溢れ出ない内に、メダルを掻き寄せて別の収容箱に移し替えている。この場合、一方の手で収容箱を把持しながら、他方の手でメダル受け皿内のメダルをメダル受け皿の前壁を越えて収容箱に掻き出して移し替えている。
【０００３】
このようなメダルの移し替え作業では、メダルがメダル受け皿の前壁を越えて、収容箱に収容されることなく、床に散乱してしまうことが多々あった。一般に、メダル受け皿の前壁の全長は収容箱の横幅より広く、メダル受け皿に分散するメダルを収容箱に収容することは容易ではなかった。このようなメダルの移し替え作業に対して、メダルをメダル受け皿から収容箱に移し替え容易な遊技機が発明されている（例えば、特許文献１参照）。
【０００４】
特許文献１による遊技機は、図柄が描かれた回転可能な複数の回胴リールと、回胴リールの回転によって図柄が揃ったとき本体から排出されたメダルを受け入れるメダル受け皿とを備えている。メダル受け皿は、底壁、両側壁及び前壁を備えている。前壁には、メダルが排出される排出部が形成され、この排出部を昇降可能に開閉する開閉板が設けられている。又、メダル受け皿は、開閉板を上方に付勢する板ばねを備え、収容箱が掛止される一対の突片を開閉板に設けている。そして、開閉板は、一対の突片に収容箱が掛止された状態で板ばねに抗して下降し排出部を開口する。
【０００５】
特許文献１による遊技機は、メダル受け皿の前壁の排出部からメダルを収容箱に掻き出すことができるので、メダルの移し替えが容易になって、速やかにメダルを移し替えることができる、としている。
【特許文献１】特開２００５−２１１１５６号公報
【発明の開示】
【発明が解決しようとする課題】
【０００６】
特許文献１による遊技機に用いられるメダル受け皿は、一対の突片に収容箱を掛止できるので、遊技者がメダル収容箱を不用意に床に落とすことを防止できる、という利点がある。しかし、特許文献１による遊技機は、メダル受け皿からメダルを掻き出すためには、メダル受け皿の前方に収容箱が掛止されているので、腹部を圧迫しかねないという問題がある。したがって、メダル受け皿の前方に収容箱を配置することなく、メダルを移し替えることが好ましい。
【０００７】
又、特許文献１によるメダル受け皿は、構成を複雑にしている。簡易な構成であり、メダルをメダル受け皿から収容箱に移し替え容易なメダル受け皿が望まれる。そして、以上のことが、本発明の課題といってよい。
【０００８】
本発明は、このような問題に鑑みてなされたものであり、本体の下部前面に配置されるメダル受け皿を備える遊技機であって、簡易な構成であり、メダルをメダル受け皿から収容箱に移し替え容易なメダル受け皿を備える遊技機を提供することを目的とする。
【課題を解決するための手段】
【０００９】
本発明者は、上記目的を達成するため、箱形に形成されるメダル受け皿をその長手方向に縮小して、収容箱を併設配置することにより、メダルをメダル受け皿から収容箱に移し替え容易なことを見出し、これに基づいて、以下のような新たなメダル受け皿を備える遊技機を発明するに至った。
【００１０】
（１）  本体の下部前面の一方の端部寄りに設けられ、メダルが払い出される払出口からメダルを受け入れて貯えるメダル受け皿と、前記本体の下部前面の他方の端部寄りに設けられ、前記メダル受け皿に隣接されてメダルが移し替えられる収容箱と、を備えることを特徴とする遊技機。
【００１１】
（１）の発明による遊技機は、メダル受け皿と収容箱を備えている。メダル受け皿は、本体の下部前面の一方の端部寄りに設けられる。又、メダル受け皿は、メダルが払い出される払出口からメダルを受け入れて貯える。収容箱は、本体の下部前面の一方の端部寄りに設けられる。又、収容箱は、メダル受け皿に隣接されてメダルが移し替えられる。
【００１２】
本体は、前面扉を開閉する筐体で構成してよく、この本体の下部前面にメダル受け皿が設けられる。メダル受け皿は、前面扉に設けられてよく、筐体に設けられてもよい。メダル受け皿は、本体の一方の端部寄りに設けられるとは、一般的なメダル受け皿より横幅が短いことを意味しており、本体の他方の端部寄りの空間に収容箱が設けられる。一般に、メダル払出口は、本体の略中央に配置されるが、本発明による遊技機では、メダル払出口を本体の下部前面の一方の端部寄りに配置してよく、メダル受け皿は、メダルを受け入れて貯えることができる。
【００１３】
メダル受け皿は、軽金属などの金属や金属にメッキ膜や合成樹脂膜などの皮膜を形成した材料を使用できる。メダル受け皿は合成樹脂で又は金属で一体に成形することが好ましい。メダル受け皿は、後述するように、収容箱に対して進退させる位置調整手段を設けることが好ましい。収容箱は、後述するように、本体に着脱自在に係止されることが好ましい。
【００１４】
（１）の発明による遊技機は、メダル受け皿に隣接されてメダルが移し替えられる収容箱を備えているので、従来のように、メダル受け皿の前方に収容箱を配置することなく、メダルを簡易な操作で収容箱に移し替えることができる。（１）の発明による遊技機は、メダル受け皿が簡易な構成である。
【００１５】
（２）  前記メダル受け皿を前記収容箱に対して進退させる位置調整手段と、前記収容箱を着脱自在に係止する係止手段と、を備えることを特徴とする（１）記載の遊技機。
【００１６】
（２）の発明による遊技機は、収容箱の大きさに応じてメダル受け皿を移動してよく、メダルを簡易な操作で収容箱に移し替えることができる。又、収容箱を簡単に本体に設置できるという効果がある。
【００１７】
（３）  前記メダル受け皿は、前記払出口と対向する前壁と、この前壁と対向する後壁と、前記前壁の両翼に略直交する一対の側壁と、前記前壁と前記一対の側壁で囲われる底壁と、を有し、前記位置調整手段は、前記本体に設けられる一対の鉤状の係止部材と、前記後壁に設けられて前記一対の係止部材に係止する複数の口金状の係止穴と、を有することを特徴とする（２）記載の遊技機。
【００１８】
例えば、係止部材は、円錐状の頭部を有してよく、軸部が本体に固定されている。係止穴は、係止部材の頭部が挿入される円形部分を設けてよく、この円形部分から延びる延在部分を設けてよい。円形部分は、後壁の長手方向と平行に連通してよく、延在部分は、メダル受け皿の開口に向かって延びている。
【００１９】
一対の係止部材を所定の一対の円形部分に挿入すると、メダル受け皿の自重で軸部が延在部分の終端に相対移動する。延在部分の幅は、軸部の径より大きく、頭部の径より小さく形成されてよく、メダル受け皿は本体から容易に外れない。メダル受け皿を持ち上げて、別の所定の位置に移動できる。
【００２０】
このように、（３）の発明による遊技機は、メダル受け皿の大きさに応じて、メダル受け皿を前記収容箱に対して進退させる位置調整手段を有している。
【００２１】
（４）  前記係止手段は、前記本体から突出する一対のＬ字状の係止片を有し、この一対の係止片は、前記収容箱の開口に設けられる折り返し襞に係止することを特徴とする（２）又は（３）記載の遊技機。
【００２２】
一般に、メダルが収容される収容箱は、合成樹脂で一体成形され、両翼に取手を有している。又、この収容箱は、開口の長手方向に一対の折り返し襞を設けて、取手を持ち上げたときのメダルの重量による撓みに対する強度を補強している。そして、この折り返し襞を利用して収容箱を係止できる。
【００２３】
（４）の発明による遊技機は、収容箱を簡単に本体に設置できるという効果がある。
【００２４】
（５）  専用の収容箱を備えることを特徴とする（１）から（４）のいずれかに記載の遊技機。
【発明の効果】
【００２５】
本発明による遊技機は、メダル受け皿に隣接されてメダルが移し替えられる収容箱を備えているので、従来のように、メダル受け皿の前方に収容箱を配置することなく、メダルを簡易な操作で収容箱に移し替えることができる。又、本発明による遊技機は、メダル受け皿の構成を簡易にしている。
【発明を実施するための最良の形態】
【００２６】
以下、図面を参照して本発明を実施するための最良の形態を説明する。
【００２７】
図１は、本発明による遊技機の一実施形態を示す正面図である。図２は、前記実施形態による遊技機の筐体の内部構造を示す斜視外観図であり、前面扉を開けた状態図である。図３は、前記実施形態による遊技機に備わるメダル受け皿及び収容箱の斜視外観図である。図４は、前記実施形態による遊技機に備わるメダル受け皿及び収容箱の本体への取り付けを説明するための斜視分解組立図である。図５は、前記実施形態による遊技機の要部縦断面図であり、メダル受け皿の本体への取り付けを示している。図６は、前記実施形態による遊技機の要部縦断面図であり、収容箱の本体への取り付けを示している。
【００２８】
最初に、本発明の実施の形態による遊技機の構成について説明する。図１及び図２において、遊技機１は、例えば、スロットマシンであり、前面扉１１を開閉する筐体１２を備えている。そして、前面扉１１と筐体１２とで本体２が構成されている。図２において、筐体１２の内部には、リールユニット１３が配置されている。又、筐体１２の内部は、棚１３ａで上下に仕切られており、リールユニット１３は棚１３ａに載置されている。
【００２９】
図２において、棚１３ａの下方には、投入されたメダルを収納、又はメダルをメダル受け皿４に払い出すホッパー１５や、還元率設定スイッチ１６ａを含む電源ボックス１６が配置されている。棚１３ａの上方には、遊技機１を制御するメイン基板（プリント基板）及びサブ基板（プリント基板）を含む制御盤１７などが配置されている。
【００３０】
図１又は図２において、前面扉１１に形成される正面パネル２２には、矩形状の表示窓１４が設けられている。表示窓１４は、個別の表示窓１４Ｌ・１４Ｃ・１４Ｒに区画されている。リールユニット１３には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００３１】
図１において、表示窓１４の下方右側には、略水平の台座部２８が設けられており、その上面右側には、遊技者が遊技媒体であるメダルを入れるための投入口２５が設けられている。ここで、メダルは、コイン、又はトークンとも称される有価価値である。
【００３２】
図１において、台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。台座部２８の前面の左側には、スタートレバー３２が傾動可能に設けられている。
【００３３】
スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００３４】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００３５】
図１において、スタートレバー３２の左側には、払出しボタン３６が設けられている。遊技者が払出しボタン３６を押動操作したときには、投入されているメダルが正面下部の払出口３から払い出され、払い出されたメダルはメダル受け皿４に溜められる。
【００３６】
図１において、表示窓１４には、横に３本（中央及び上下）及び斜めに２本の入賞ラインが設けられている。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３７】
図１において、前面扉１１の下部には、腰部パネルと呼ばれる化粧パネル２７が設けられている。化粧パネル２７は、リール停止ボタン３４Ｌ・３４Ｃ・３４Ｒの下側に位置するように設けられており、絵柄模様、遊技機の名称などが表示されている。この化粧パネル２７は、前方に突出しており、メダル受け皿４は、化粧パネル２７の下方左側に位置している。
【００３８】
図３も参照すると、上述のメダル受け皿４は、例えば、表面がメッキや塗装された軽金属によって形成されている（合成樹脂で一体成型するようにしてもよい）。メダル受け皿４は、前壁４ａ、後壁４ｂ、一対の側壁４ｃ、及び底壁４ｄを備え、上面が開口されている。前壁４ａは、メダルの払出口３と対向しており、後壁４ｂは前壁４ａと対向している。一対の側壁４ｃは、前壁４ａ及び後壁４ｂの両翼に略直交しており、底壁４ｄは、前壁４ａ、後壁４ｂ、及び一対の側壁４ｃで囲われている。
【００３９】
図示のように、メダル受け皿４の一方の側壁（左側の側壁）４ｃに隣接して、灰皿３８が設けられている。メダル受け皿４は、化粧パネル２７の下方左側に位置するように取り付け板（図１には示さず）を介して、後述するようにして、本体２に固定されている。
【００４０】
メダル受け皿４の右側には（メダル受け皿４の他方の側壁４ｃ側には）、メダル受け皿４に隣接して収容箱５が配置され、収容箱５には、メダル受け皿４に溜められたメダルが移し替えられる。収容箱５は、例えば、合成樹脂により箱状に形成され、収容箱５も、後述するように、取り付け板に取り付けられている。
【００４１】
又、収容箱５は、その上面が開口されて、メダルを溜める凹部５１が開口され、その両翼には把持可能な一対の取手５ａ・５ｂが形成されている。更に、上面開口の周囲（長手方向）には、外側に広がるフランジ部５ｃが形成されている。
【００４２】
前述のように、収容箱５は合成樹脂製であるから、フランジ部５ｃに折り返し襞５ｄを設けて、これによって、取手５ａ・５ｂを持ち上げた際のメダルの重量による収容箱５の撓みを防止している。つまり、収容箱５の強度を折り返し襞５ｄによって補強している。
【００４３】
次に、構成を補足しながら、本発明による遊技機の作用を説明する。図４において、本体２の下部には取り付け板４０が、例えば、ねじ止めによって固定されており、前述のように、メダル受け皿４は、取り付け板４０を介して本体２の一方の端部寄り（図中左側）に配設されている。つまり、図示のメダル受け皿４は、一般的なメダル受け皿より横幅が短いことになる。なお、取り付け板４０は本体２の一部を構成している。
【００４４】
又、本体２の他方の端部寄り（図中右側）の空間に収容箱５が配置されている。一般に、メダルの払出口３は、本体２の略中央に配置されるが、図示の遊技機１においては、メダルの払出口３を本体２の下部前面の一方の端部寄り（図中左側）に配置して、メダル受け皿４によって払出口３から払い出されるメダルを受け入れて貯えている。
【００４５】
図４に示すように、取り付け板４０には、前方に突出する一対の鉤状の係止部材４１が所定の間隔をおいて形成されており、係止部材４１は、軸体４１ａと軸体４１ａに一体的に形成された傘部（円錐形頭部）４１ｂとを有しており、傘部４１ｂの径は軸体４１ａの径よりも大きく形成されている。
【００４６】
一方、後壁４ｂには、複数の口金状の係止穴４２が形成されており、係止穴（延在部分）４２は長手方向に所定の間隔をおいて配列され、上方に延在している。係止穴４２の下端は連結穴部（円形部分）４３で連結されている。そして、連結穴部４３の径は前述の傘部４１ｂの径よりも大きく、各係止穴４２の径は傘部４１ｂの径より小さく、軸体４１ａの径よりも大きい。又、一対の係止穴４２の間隔は、一対の軸体４１ａの間隔に等しく構成されている。
【００４７】
図５も参照すると、連結穴部４３に傘部４１ｂを挿入して、メダル受け皿４を多少左右に動かして、軸体４１ａが係止穴４２に対応すると、メダル受け皿４の自重によってメダル受け皿４が下がり、軸体４１ａが係止穴４２に挿入されて、メダル受け皿４が係止部材４１に係止されることになる。
【００４８】
このように、メダル受け皿４の自重によって軸体３１ｂが係止穴４２に挿入されると、係止穴４２の径は傘部４１ｂの径よりも小さいから、係止部材４１が係止穴４２から抜けることがなく、メダル受け皿４を係止部材４１によって確実に本体２に係止させることができる。
【００４９】
又、メダル受け皿４を取り外す際には、メダル受け皿４を上方に持ち上げて、係止部材４１が連結穴部４３に達した際に、前方にメダル受け皿４を引き出せば、容易にメダル受け皿４を本体２から取り外すことができる。
【００５０】
図４に示すように、取り付け板４０の右側領域には、前方に突出する一対のＬ字状の係止片４４・４４が予め定められた間隔をおいて形成されている。更に、一対の係止片４４・４４に対応して、係止片４４の下側において、取り付け板４０には前方に突出する一対の円柱体４５・４５が固定されている。一方、前述したように、フランジ部５ｃは下向きに折り返された折り返し襞５ｄを備えており、折り返し襞５ｄが係止片４４に係止されるように構成されている。
【００５１】
図６に示すように、収容箱５を係止片４４に係止する際には、収容箱５の前端側を後端側よりも上げた状態で、折り返し襞５ｄをＬ字状の係止片４４の端部に引っ掛け、前端側を下げればよい。これによって、折り返し襞５ｄが係止片４４に完全に引っ掛けられた状態となって、収容箱５が一対の係止片４４・４４、つまり、本体２に係止される。
【００５２】
この際、図６に示すように、円柱体４５の先端部が収容箱５の後壁面に当接し、収容箱５の傾きを防止する。つまり、収容箱５は、本体２に対して平行な状態で支持されることになる。又、収容箱５の前端側を持ち上げれば、容易に折り返し襞５ｄを係止片４４の係止から離脱させることができ、簡単に収容箱５を本体２から取り外すことができる。
【００５３】
上述のように、メダル受け皿４は、係止部材４１と係止穴４２とによって、本体２に着脱自在となっているから、係止部材４１が挿入される係止穴４２を変えれば（つまり、係止部材４１を別の係止穴４２に挿入すれば）、メダル受け皿４を本体２に対して左右に移動させることができ、その結果、収容箱５の大きさに応じて、メダル受け皿４の位置を左右に移動させれば、常にメダル受け皿４と収容箱５とを隣接する状態に位置付けることができる。
【００５４】
このように、メダル受け皿４を、常に収容箱５に隣接した状態とすることができる結果、収容箱５はメダル受け皿４の右側に隣接して位置することを考慮すれば、収容箱５の大きさに拘らず、メダル受け皿４から収容箱５へのメダルの移し替えが極めて容易となる。
【００５５】
なお、メダル受け皿４の大きさに応じて、前述のようにして、メダル受け皿４を収容箱５に対して進退させるようにしてもよい。又、各遊技機１に応じてそれぞれ専用の収容箱５を備えるようにすれば、前述のようにして、予めメダル受け皿４の位置を調整して、収容箱５に隣接するようにしておけば、遊技者がメダル受け皿４の位置を調整する必要はないという利点がある。
【図面の簡単な説明】
【００５６】
【図１】本発明による遊技機の一実施形態を示す正面図である。
【図２】前記実施形態による遊技機の筐体の内部構造を示す斜視外観図であり、前面扉を開けた状態図である。
【図３】前記実施形態による遊技機に備わるメダル受け皿及び収容箱の斜視外観図である。
【図４】前記実施形態による遊技機に備わるメダル受け皿及び収容箱の本体への取り付けを説明するための斜視分解組立図である。
【図５】前記実施形態による遊技機の要部縦断面図であり、メダル受け皿の本体への取り付けを示している。
【図６】前記実施形態による遊技機の要部縦断面図であり、収容箱の本体への取り付けを示している。
【符号の説明】
【００５７】
１  遊技機
２  本体
３  払出口
４  メダル受け皿
５  収容箱
【図１】
2008295524.tif 000003
【図２】
2008295524.tif 000004
【図３】
2008295524.tif 000005
【図４】
2008295524.tif 000006
【図５】
2008295524.tif 000007
【図６】
2008295524.tif 000008